(57)【要約】      （修正有）【課題】飲料を飲み切った後にコンパクトに折り畳むことができ、かつ、何度も繰り返し使用が可能な飲料容器を提供する。【解決手段】飲料注出部を有する上部本体部１と、下部本体部２と、上部本体部と下部本体部とを連結し、内部に飲料を収容可能な中央本体部３と、を有し、中央本体部が柔軟性を有するＴＰＵ（熱可塑性ポリウレタン）で形成され、中央本体部を畳んだ状態で、上部本体部と下部本体部とを一体的にかつ着脱自在に係合するための係合部（係合突起および係合溝２２）を備えている。【選択図】図１
0003221559.tif 000002
【実用新案登録請求の範囲】
【請求項１】
飲料注出部を有する上部本体部と、
下部本体部と、
上部本体部と下部本体部とを連結し、内部に飲料を収容可能な中央本体部と、を有し、
前記中央本体部が柔軟性を有する素材で形成され、
前記中央本体部を畳んだ状態で、前記上部本体部と下部本体部とを一体的にかつ着脱自在に係合するための係合部を備えていることを特徴とする飲料容器。
【請求項２】
前記中央本体部の外径は、前記上部本体部と前記下部本体部の外径よりも小さいことを特徴とする請求項１に記載の飲料容器。
【請求項３】
前記上部本体部と前記下部本体部はそれぞれ同径部分を有し、折り畳み状態で同径部分同士が当接するように構成されていることを特徴とする請求項１又は２に記載の飲料容器。
【請求項４】
前記下部本体部の上部に形成され、かつ、前記同径部分よりも小径の係合筒が、前記上部本体部の内部に挿入可能に構成されることを特徴とする請求項３に記載の飲料容器。
【請求項５】
前記係合筒に係合溝が形成され、前記上部本体部の内部に係合突起が形成されることを特徴とする請求項４に記載の飲料容器。
【請求項６】
前記中央本体部は、捩ることで折り畳まれることを特徴とする請求項１〜５のいずれか１項に記載の飲料容器。
【請求項７】
前記飲料注出部は、中央に突出した状態で設けられる注出口と、
この注出口を開閉するキャップと、
前記注出口を開閉する開閉弁と、を備え、
前記キャップを上方に引き上げることで、前記開閉弁を連動して引き上げ、流路が開通するように構成されることを特徴とする請求項１〜６のいずれか１項に記載の飲料容器。
【考案の詳細な説明】
【技術分野】
【０００１】
本考案は、コンパクトに折り畳める飲料容器に関する。
【背景技術】
【０００２】
かかる飲料容器として、下記特許文献１に開示される樹脂製容器が公知である。この樹脂製の容器は、飲み口部の近くに円形状あるいは円弧状に設けられた凹部と、容器の底部近傍の内部に、円形状あるいは円弧状に設けられ、容器を上下に押し潰すことによって凹部と嵌合する凸部とを備えている。これにより、つぶして容積が小さくなった状態を維持することができる。
【先行技術文献】
【特許文献】
【０００３】
【特許文献１】特開２０１７−１９５２０号公報
【考案の概要】
【考案が解決しようとする課題】
【０００４】
しかしながら、上記樹脂製容器は、一度凹部と凸部を嵌合した場合、再度嵌合状態を解除することが困難である。すなわち、上記公知の容器は使い捨てのペットボトル等の容器には適しているが、何度も繰り返して使用する飲料容器には適切な構造ではない。
【０００５】
本考案は上記実情に鑑みてなされたものであり、その課題は、飲料を飲み切った後にコンパクトに折り畳むことができ、かつ、何度も繰り返し使用が可能な飲料容器を提供することである。
【課題を解決するための手段】
【０００６】
上記課題を解決するため本考案に係る飲料容器は、
飲料注出部を有する上部本体部と、下部本体部と、
上部本体部と下部本体部とを連結し、内部に飲料を収容可能な中央本体部と、を有し、
前記中央本体部が柔軟性を有する素材で形成され、
前記中央本体部を畳んだ状態で前記上部本体部と、下部本体部とを一体的にかつ着脱自在に係合するための係合部を備えていることを特徴とするものである。
【０００７】
かかる構成による飲料容器の作用・効果を説明する。この飲料容器は、上部本体部と、中央本体部と、下部本体部とが連結された構造を有する。中央本体部は、柔軟性のある素材で形成されており、折り畳むことができる。上部本体部と下部本体部は着脱自在に係合することができる。そこで、飲料をのみ終わった後に中央本体部を折り畳み、上部本体部と下部本体部を係合することでコンパクトな形にすることができる。なお、折り畳みの形態は特定の形態には限定されない。係合部は、上部本体部と下部本体部を着脱自在に係合するので、何度でも繰り返し使用することができる。その結果、飲料を飲み切った後にコンパクトに折り畳むことができ、かつ、何度も繰り返し使用が可能な飲料容器を提供することができる。
【０００８】
本考案において、前記中央本体部の外径は、前記上部本体部と前記下部本体部の外径よりも小さいことが好ましい。
【０００９】
かかる構成により、上部本体部と下部本体部の中に折り畳んだ中央本体部を収容しやすくなり、コンパクトにするための動作も行いやすくなる。
【００１０】
本考案において、前記上部本体部と前記下部本体部はそれぞれ同径部分を有し、折り畳み状態で同径部分同士が当接するように構成されていることが好ましい。
【００１１】
この構成によると、折り畳んだ状態で上部本体部と下部本体部の当接部分で段差がなく、デザイン的にも見た目のよい折り畳み状態にすることができる。
【００１２】
本考案において、前記下部本体部の上部に形成され、かつ、前記同径部分よりも小径の係合筒が、前記上部本体部の内部に挿入可能に構成されることが好ましい。これにより、係合筒が挿入された内部空間に係合部を構成することができる。
【００１３】
本考案において、前記係合筒に係合溝が形成され、前記上部本体部の内部に係合突起が形成されることが好ましい。
【００１４】
この構成によると、係合溝と係合突起の組み合わせにより、上部本体部と下部本体部を係合することができる。
【００１５】
本考案に係る前記中央本体部は、捩ることで折り畳まれることが好ましい。これにより、中央本体部が捩じれるように上部本体部と下部本体部を手で持って相対的に回転させることで、折り畳み動作を行いやすくなる。
【００１６】
本考案に係る前記飲料注出部は、中央に突出した状態で設けられる注出口と、
この注出口を開閉するキャップと、
前記注出口を開閉する開閉弁と、を備え、
前記キャップを上方に引き上げることで、前記開閉弁を連動して引き上げ、流路が開通するように構成されることが好ましい。
【００１７】
かかる構成により、注出口から不用意に内部の飲料が漏れることを防止することができる。
【図面の簡単な説明】
【００１８】
【図１】本実施形態に係る飲料容器の外観図
【図２】図１に示す飲料容器の縦断面図
【図３】飲み口部のキャップを開いた状態を示す図
【図４】図３において開閉弁を引き上げた状態を示す図
【図５】図４の縦断面図
【図６】中央本体部を捩じった状態を示す図
【図７】上部本体部と下部本体部を係合してコンパクト化した飲料容器を示す図
【図８】図１のＡ−Ａ断面図
【考案を実施するための形態】
【００１９】
本考案に係るの好適な実施形態を図面を用いて説明する。図１は、本実施形態に係る飲料容器の外観図である。図２は、縦断面図である。この飲料容器は、内部に適宜の飲料を収容可能であり、飲み終わった後にコンパクトに折り畳むことができる。
【００２０】
この飲料容器は、上部本体部１と、中央本体部３と、下部本体部２とを備えている。上部本体部１の上には、飲み口部４（飲料注出部に相当）がネジにより着脱自在に取り付けられている。飲み口部４の上には、流出口を開閉するためのキャップ５が取り付けられている。
【００２１】
上部本体部１と下部本体部２は、硬質素材である樹脂により形成されている。中央本体部３は、柔軟性のある素材、例えば、ＴＰＵ（熱可塑性ポリウレタン）により形成される。なお、素材については、これに限定されるものではない。この中央本体部３の内部に飲料を収容することができる。中央本体部３と上部本体部１および下部本体部２との結合は、一体成型、溶着等により行うことができる。
【００２２】
上部本体部１と下部本体部２の最大外径寸法は同じである（同径部分を有する）。また、中央本体部３の外径は上部本体部１と下部本体部２の外径よりも少し小さくなっている。図２の断面図から分かるように、中央本体部３と上部本体部１が連結されている箇所１１は、上部本体部１の外径が少しずつ小さくなっていく肩部である。肩部の下と上部本体部１の内壁の間には空間１２が形成されている。
【００２３】
中央本体部３と下部本体部２の連結されている箇所２３は、下部本体部２の底面近傍である。箇所２３の上と下部本体部２の内壁とは、図２では密着しているが接着されていない。接着されていない箇所は自由に変形できるので、折り畳むときに便利である。
【００２４】
下部本体部２の上部には係合筒２０が一体形成されている。この係合筒２０は、下部本体部２の外径よりも少し小さいが中央本体部３の外径よりも少し大きい。図１に示すように、係合筒２０の外周面に円周方向に沿って４カ所突出した土手部２１が一体形成され、この土手部２１の下部と段差面の間に係合溝２２が形成される。土手部２１の直線部分には、２カ所下方に突出した突起部２１ａが一体形成される。このような係合溝２２は、円周方向に４カ所形成されるが何カ所形成するかは適宜決めることができる。
【００２５】
上記係合溝２２に対応して、上部本体部１の内壁面には係合突起１０が４カ所形成されている（図８参照）。この係合突起１０が係合溝２２に係合することができる。係合突起１０と係合溝２２は係合部に相当する。
【００２６】
飲み口部４の上面には、係止ピン４０が一体成型されている。キャップ５は、キャップ本体５０と連結紐５１が一体成型されており、連結紐５１の端部に形成された穴が係止ピン４０に係止される。
【００２７】
図３は、キャップ５を外した状態を示す。連結紐５１はある程度の柔軟性を有するので容易にキャップ５を開くことができる。飲み口部４の中央には注出口４１が突出している。注出口４１の内部には開閉弁６が上下動可能に組み込まれている。図３は、開閉弁６を下げた状態であり流路が閉じた状態である。図４は、開閉弁６を引き上げた状態であり流路Ｂを開いた状態である。図４の状態でキャップ５をすると、キャップ本体５０の内面により開閉弁６を連動して押し下げ流路が閉じた状態に復帰する。図５は、図４の縦断面図である。
【００２８】
開閉弁６は、頭部６０と筒部６１と爪部６２が一体成型されている。頭部６０は、筒部６１よりも大径である。キャップ本体５０の内面には突起５２が形成されている。図２のキャップをした状態では、頭部６０の下に突起５２が位置している。従って、キャップ５を開けるときに頭部６０をひっかける形で開閉弁６も一緒に持ち上げる。持ち上げる途中で爪部６２が飲み口部４の天面の裏面に引っ掛かり、これ以上開閉弁６は上に移動できない。その後、弾性変形をしながら、突起５２は頭部６０を乗り越えるので図５に示すようにキャップ５のみが移動できるようになる。
【００２９】
飲み口部４の中央には流路形成筒４２が一体形成されている。開閉弁６の筒部６１の内面に流路形成筒４２が挿入される形で構成されており、両者の間に流路Ｂが形成されている。図２のキャップを閉めた状態では流路Ｂは閉鎖されており、内部の飲料が外部に漏れることはない。図５の状態では、開閉弁６の中央の開口部６２が流路Ｂとつながり、飲料を飲むことができる。
【００３０】
キャップ５をするときは、キャップ５を閉鎖していく過程で突起５２が開閉弁６の頭部６０を押して一緒に下げていく。途中で突起５２が頭部６０を乗り越えて図２の閉鎖状態になる。
【００３１】
＜折り畳み動作＞
図６は、飲料を飲み干したあとに、飲料容器をコンパクトに折り畳む動作を説明する図である。図６に示すように、上部本体部１と下部本体部２をそれぞれ手で持ち、相対的に下部本体部２を上部本体部１に対して飲料容器の長手方向の軸周りに回転させる。これにより、柔軟な中央本体部３が捩じられる。捩じるための回転方向は右でも左でもよい。
【００３２】
その後、上部本体部１と下部本体部２を接近させて、係合筒２０を上部本体部１の空間１２に挿入する。この際に、上部本体部１の係合突起１０が、隣接する土手部２１の間に位置するようにする。これにより、上部本体部１の内面にスムーズに下部本体部２の係合筒２０を挿入することができる。次に、下部本体部２を回転させることで、係合溝２２に係合突起１０を挿入することができる。土手部２１の下方には突起部２１ａが突出しており、若干溝の幅が狭くなっており、この部分を係合突起１０が乗り越えることで確実に上部本体部１と下部本体部２を係合させることができる。
【００３３】
図７は、コンパクトに折り畳んだ状態を示す外観図である。これにより、飲み終えた飲料容器をかばんやバッグに収容するときにスペースを取らないので運搬するときに便利である。再度利用するときは、上部本体部１と下部本体部２の係合状態を解除して、飲み口部４を外して、容器本体内部に飲料を収容すればよい。また、上部本体部１と下部本体部２の同径部分同士が当接しており段差がない形で係合している。これにより、見た目にも美しい形を実現している。
【００３４】
＜別実施形態＞
本実施形態では直飲みタイプの飲料容器を説明したが、本考案はこれに限定されるものではない。例えば、ストローで飲むタイプやコップに入れて飲むタイプの飲料容器であってもよい。
【００３５】
本実施形態では折り畳む際に中央本体部３を捩じっているが、折り畳み方法は特定の方法に限定されるものではない。
【００３６】
本実施形態では上部本体部１と飲み口部４が別部品であるが、これを一体化した部材で構成してもよい。
【００３７】
係合の態様は本実施形態に限定されるものではなく種々の変形例が考えられる。例えば、雄ねじと雌ねじの組み合わせによる係合方法を採用してもよい。
【符号の説明】
【００３８】
１        上部本体部
１０      係合突起
１１      箇所
１２      空間
２        下部本体部
２０      係合筒
２１      土手部
２１ａ    突起部
２２      係合溝
２３      箇所
３        中央本体部
４        飲み口部
４０      係合ピン
４１      注出口
４２      流路形成筒
５        キャップ
５０      キャップ本体
５１      連結紐
５２      突起
６        開閉弁
６０      頭部
６１      筒部
６２      爪部
６３      開口部
【図１】
0003221559.tif 000003
【図２】
0003221559.tif 000004
【図３】
0003221559.tif 000005
【図４】
0003221559.tif 000006
【図５】
0003221559.tif 000007
【図６】
0003221559.tif 000008
【図７】
0003221559.tif 000009
【図８】
0003221559.tif 000010
【手続補正書】
【提出日】平成31年3月20日(2019.3.20)
【手続補正１】
【補正対象書類名】実用新案登録請求の範囲
【補正対象項目名】請求項７
【補正方法】変更
【補正の内容】
【請求項７】
前記飲料注出部は、中央に突出した状態で設けられる注出口と、
この注出口を開閉するキャップと、
前記キャップの内面に形成された突起と、
前記注出口を開閉する開閉弁と、
前記開閉弁に形成された頭部と、を備え、
前記キャップを上方に引き上げることで、前記突起が前記頭部をひっかけて、前記開閉弁を連動して引き上げ、流路が開通するように構成されることを特徴とする請求項１〜６のいずれか１項に記載の飲料容器。